(57)【要約】【課題】操作性を向上させた、ブレスレット型のウェアラブル端末を提供することを目的とする。【解決手段】メインタッチパネルディスプレイ１１０に表示される表示画面の上方向側の当該メインタッチパネルディスプレイ１１０の端部にタッチパネルディスプレイ１２０が接続される。そして、このタッチパネルディスプレイ１２０において、ユーザによる一または二つのタッチ検出領域によるタッチ操作を受け付けることができ、その受け付けたタッチ操作に基づいた情報をメインタッチパネルディスプレイ１１０に表示することができる。【選択図】図１
2015194998.tif 000002
【特許請求の範囲】
【請求項１】
操作対象となる情報を表示するメインディスプレイと、
前記メインディスプレイに表示される表示画面の上方向側の当該メインディスプレイの端部に接続され、所定数以下のタッチ検出領域によるタッチ操作を受け付ける上側タッチパネルと、
前記上側タッチパネルにおいてユーザによりタッチ操作が受け付けられると、当該操作に応じた情報を前記メインディスプレイに表示させる制御手段と、
を備え、
前記メインディスプレイと前記上側タッチパネルとを、ユーザの手首に装着可能なブレスレット状に構成する、ウェアラブル端末。
【請求項２】
前記上側タッチパネルは、表示機能を有し、
前記制御手段は、前記上側タッチパネルに、あらかじめ定められた数値情報を上下させるための上下キーを表示させ、当該上下キーに基づいた操作を受け付ける、請求項１に記載のウェアラブル端末。
【請求項３】
前記上側タッチパネルにおいて、前記メインディスプレイとの接続側とは反対側の端部にさらに連接され、ユーザによるタッチ操作を受け付ける第２の上側タッチパネルを備え、
前記制御手段は、前記第２の上側タッチパネルにおいてユーザによりタッチ操作が受け付けられると、当該操作に応じた情報を前記メインディスプレイに表示させる、請求項１または２に記載のウェアラブル端末。
【請求項４】
前記メインディスプレイに表示される表示画面の下方向側の当該メインディスプレイの端部に接続され、ユーザによるタッチ操作を受け付ける下側タッチパネルをさらに備え、
前記上側タッチパネルおよび前記下側タッチパネルは、表示機能を有し、
前記制御手段は、前記上側タッチパネルまたは下側タッチパネルにおいて、スクロール表示指示がなされると、前記上側タッチパネルの表示画面を、前記下側タッチパネルに表示させる、請求項１から３のいずれか一項に記載のウェアラブル端末。
【請求項５】
前記メインディスプレイ及び前記上側タッチパネルのいずれかの姿勢を判断する姿勢判断手段と、
をさらに備え、
前記制御手段は、前記姿勢判断手段により判断された姿勢に基づき、前記メインディスプレイの表示の向きをさらに制御する、請求項１に記載のウェアラブル端末。
【請求項６】
前記上側タッチパネルにおいて、前記メインディスプレイとの接続側とは反対側の端部にさらに連接され、ユーザによるタッチ操作を受け付ける第２の上側タッチパネルと、
前記メインディスプレイに表示される表示画面の下方向側の当該メインディスプレイの端部に接続され、ユーザによるタッチ操作を受け付ける下側タッチパネルと、
前記下側タッチパネルに表示される表示画面の下方向側の当該下側タッチパネルの端部に接続され、ユーザによるタッチ操作を受け付ける第２の下側タッチパネルと、
をさらに備え、
前記制御手段は、前記姿勢判断手段により判断された姿勢に基づき、前記メインディスプレイ又は前記第２の上側タッチパネル若しくは前記第２の下側タッチパネルに操作対象となる情報を表示させるように制御する、請求項５に記載のウェアラブル端末。
【発明の詳細な説明】
【技術分野】
【０００１】
本発明は、ユーザの身体に装着可能なウェアラブル端末に関する。
【背景技術】
【０００２】
複数のタッチパネルをブレスレット状に構成するものとして、特許文献１に記載の技術が挙げられる。この特許文献１に記載の技術には、各タッチパネルにおいて、様々な情報を表示しておき、一のタッチパネルに対して所定の操作を行うことにより、タッチパネルに表示されている表示画面を、各タッチパネルを跨いでスクロール表示させることの記載がある。
【先行技術文献】
【特許文献】
【０００３】
【特許文献１】米国特許出願公開第２０１３／０２７１４９５号明細書
【発明の概要】
【発明が解決しようとする課題】
【０００４】
しかしながら、特許文献１に記載の技術は、操作性については何ら考慮したものではない。一般的に、特許文献１に記載されているようなブレスレット型のウェアラブル端末を手首に装着した場合、操作できる位置（タッチパネル）と操作しにくい位置（タッチパネル）がある。ユーザの左手首にブレスレット型のウェアラブル端末を装着した場合、タッチパネルの配置位置によっては、目に見えない側に位置することがあり、操作しにくいという問題がある。
【０００５】
そこで、本発明においては、操作性を向上させた、ブレスレット型のウェアラブル端末を提供することを目的とする。
【課題を解決するための手段】
【０００６】
上述の課題を解決するために、本発明のウェアラブル端末は、操作対象となる情報を表示するメインディスプレイと、前記メインディスプレイに表示される表示画面の上方向側の当該メインディスプレイの端部に接続され、所定値以下のタッチ検出領域によるタッチ操作を受け付ける上側タッチパネルと、前記上側タッチパネルにおいてユーザによりタッチ操作が受け付けられると、当該操作に応じた情報を前記メインディスプレイに表示させる制御手段と、を備え、前記メインディスプレイと前記上側タッチパネルとを、ユーザの手首に装着可能なブレスレット状に構成する。
【０００７】
この発明によれば、メインディスプレイに表示される表示画面の上方向側の当該メインディスプレイの端部に接続される上側タッチパネルにおいて、ユーザによる所定値以下のタッチ検出領域によるタッチ操作を受け付けることができ、その受け付けたタッチ操作に基づいた情報をメインディスプレイに表示することができる。これにより、メインディスプレイと上側タッチパネルとを、ユーザの手首に装着可能なブレスレット状に構成した場合において、ユーザは、タッチするだけといった簡単な操作で所望の操作を実行することができ、その操作性を向上させることができる。
【０００８】
また、本発明のウェアラブル端末において、前記上側タッチパネルは、表示機能を有し、前記制御手段は、前記上側タッチパネルに、あらかじめ定められた数値情報を上下させるための上下キーを表示させ、当該上下キーに基づいた操作を受け付ける。
【０００９】
この発明によれば、上側タッチパネルに、あらかじめ定められた数値情報を上下させるための上下キーを表示させ、当該上下キーに基づいた操作を受け付けることができ、ユーザからその操作位置を見ることなく、簡単に操作を行なうことができる。
【００１０】
また、本発明のウェアラブル端末は、前記上側タッチパネルにおいて、前記メインディスプレイとの接続側とは反対側の端部にさらに連接され、ユーザによるタッチ操作を受け付ける第２の上側タッチパネルを備え、前記制御手段は、前記第２の上側タッチパネルにおいてユーザによりタッチ操作が受け付けられると、当該操作に応じた情報を前記メインディスプレイに表示させる。
【００１１】
この発明によれば、インタッチパネルと接続する端部とは反対側の端部にさらに連接される第２の上側タッチパネルにおいてユーザによりタッチ操作を受け付けることができる。これにより、メインディスプレイと上側タッチパネルとを、ユーザの手首に装着可能なブレスレット状に構成した場合における操作性を向上させることができる。
【００１２】
また、本発明のウェアラブル端末１００は、前記メインディスプレイに表示される表示画面の下方向側の当該メインディスプレイの端部に接続され、ユーザによるタッチ操作を受け付ける下側タッチパネルをさらに備え、前記上側タッチパネルおよび前記下側タッチパネルは、表示機能を有し、前記制御手段は、前記上側タッチパネルまたは下側タッチパネルにおいて、スクロール表示指示がなされると、前記上側タッチパネルの表示画面を、前記下側タッチパネルに表示させる。
【００１３】
この発明によれば、スクロール表示指示がなされると、そのメインディスプレイに表示される表示画面の下方向側の当該メインディスプレイの端部に接続された下側タッチパネルに、上側タッチパネルの表示画面を表示させることができる。これにより、ユーザから直接見ることができない上側タッチパネルの情報を見ることができ、使い勝手の良い装置を提供することができる。さらに、メインディスプレイの表示内容を変えることなく、下側タッチパネルにスクロール表示させることで、メインディスプレイに表示している内容を確認しやすくすることができる。
【００１４】
また、本発明のウェアラブル端末は、メインディスプレイ及び上側タッチパネルのいずれかの姿勢を判断する姿勢判断手段と、をさらに備え、制御手段は、姿勢判断手段により判断された姿勢に基づき、メインディスプレイの表示の向きをさらに制御するようにしてもよい。これにより、ユーザの視線が手の甲側、あるいは手の平側に向いているかに応じて画面が表示される向きを制御し、ユーザにとっての操作性を向上させることができる。
【００１５】
また、上側タッチパネルにおいて、メインディスプレイとの接続側とは反対側の端部にさらに連接され、ユーザによるタッチ操作を受け付ける第２の上側タッチパネルと、メインディスプレイに表示される表示画面の下方向側の当該メインディスプレイの端部に接続され、ユーザによるタッチ操作を受け付ける下側タッチパネルと、下側タッチパネルに表示される表示画面の下方向側の当該下側タッチパネルの端部に接続され、ユーザによるタッチ操作を受け付ける第２の下側タッチパネルと、をさらに備え、制御手段は、姿勢判断手段により判断された姿勢に基づき、メインディスプレイ又は第２の上側タッチパネル若しくは第２の下側タッチパネルに操作対象となる情報を表示させるように制御するようにしてもよい。これにより、ウェアラブル端末の姿勢を判断し、判断した姿勢に基づいてメインディスプレイに表示される画面が第２の上側タッチパネル又は第２の下側タッチパネルに対して表示される。よって、ユーザの視線が手の甲側、あるいは手の平側に向いているかに応じて画面の配置を制御し、操作性及び表示の柔軟性を向上させることができる。
【発明の効果】
【００１６】
本発明によれば、ブレスレット状に構成されたウェアラブル端末を手首に装着した場合、手探りでタッチするといった簡単な操作で所望の操作を実行することができ、その操作性を向上させることができる。
【図面の簡単な説明】
【００１７】
【図１】本実施形態のウェアラブル端末１００の外観構成を示す外観図である。
【図２】このウェアラブル端末１００の機能構成を示すブロック図である。
【図３】タッチパネルディスプレイのタッチ検出領域を示す説明図である。
【図４】ウェアラブル端末１００の処理を示すフローチャートである。
【図５】メインタッチパネルディスプレイ１１０または各タッチパネルディスプレイ１２０〜１５０に表示される表示画面の例示を示す説明図である。
【図６】第２実施形態のタッチパネルディスプレイの表示態様を示す図である。
【図７】第２実施形態のウェアラブル端末１００Ａの機能構成を示すブロック図である。
【図８】表示格納部１０７Ａ及び表示制御テーブル１１１Ａの一例を示す図である。
【図９】第２実施形態のタッチパネルディスプレイ１１０〜１５０に表示される表示画面の例示を示す説明図である。
【図１０】第２実施形態のウェアラブル端末１００Ａの処理を示すフローチャートである。
【発明を実施するための形態】
【００１８】
［第１実施形態］
添付図面を参照しながら本発明の実施形態を説明する。可能な場合には、同一の部分には同一の符号を付して、重複する説明を省略する。
【００１９】
図１は、本実施形態のウェアラブル端末１００の外観構成を示す外観図である。図１に示されるように、このウェアラブル端末１００は、一つのメインタッチパネルディスプレイ１１０と、複数のタッチパネルディスプレイ１２０〜１５０とから構成されている。このメインタッチパネルディスプレイ１１０の上下方向の両端部には、タッチパネルディスプレイ１２０とタッチパネルディスプレイ１３０とが、揺動可能に接続されている。さらに、その両端部には、タッチパネルディスプレイ１４０〜１５０がそれぞれ連接されており、アジャスト部１６０およびアジャスト部１７０をつなげることにより、ブレスレット状にウェアラブル端末１００を構成することができ、ユーザの手首に装着することができる。
【００２０】
本実施形態においては、このウェアラブル端末１００は、エアコンや、テレビなどを操作するためのリモコン機として機能するものとするが、これに限るものではない。
【００２１】
図２は、このウェアラブル端末１００の機能構成を示すブロック図である。図２に示される通り、このウェアラブル端末１００は、ＣＰＵ１０１、ＲＡＭ１０２、ＲＯＭ１０３、無線通信部１０４、タッチコントロール部１０５（制御手段）、表示制御部１０６（制御手段）、メインタッチパネルディスプレイ１１０（メインディスプレイ）、およびタッチパネルディスプレイ１２０〜１５０（上側タッチパネル、第２の上側タッチパネル、下側タッチパネル）を備えている。
【００２２】
ＣＰＵ１０１は、ウェアラブル端末１００を制御する部分である。ＲＡＭ１０２およびＲＯＭ１０３は、そこに記憶されているプログラムを実行するためのワークエリアを展開する部分である。
【００２３】
無線通信部１０４は、操作対象装置（エアコン、テレビなど）に対してリモコン操作を行うための操作信号を送信する部分である。無線通信部１０４は、ユーザによるメインタッチパネルディスプレイ１１０、タッチパネルディスプレイ１２０〜１５０に対するタッチ操作に基づいて操作信号を生成する。
【００２４】
タッチコントロール部１０５は、メインタッチパネルディスプレイ１１０、およびタッチパネルディスプレイ１２０〜タッチパネルディスプレイ１５０に対する制御を行い、メインタッチパネルディスプレイ１１０および各タッチパネルディスプレイ１２０〜１５０におけるタッチ操作に応じた制御を行う部分である。例えば、ユーザがメインタッチパネルディスプレイ１１０の所定の位置をタッチ操作すると、その位置に応じた制御を行い、また所定のフリック操作を行うと、そのフリック操作を検出してそれに応じた制御を行う。
【００２５】
表示制御部１０６は、メインタッチパネルディスプレイ１１０および各タッチパネルディスプレイ１２０〜１５０に対する表示制御を行う部分である。例えば、表示制御部１０６は、エアコンのリモコンモードにするようユーザに操作されると、エアコンのリモコンを操作するためのリモコン画面を、メインタッチパネルディスプレイ１１０および各タッチパネルディスプレイ１２０〜１５０に表示するよう制御する。
【００２６】
表示データ格納部１０７は、メインタッチパネルディスプレイ１１０および各タッチパネルディスプレイ１２０〜１５０に表示する表示データを記憶する部分である。例えば、リモコン用のリモコン画面を構成するための画面や、アイコンデータを記憶する。
【００２７】
メインタッチパネルディスプレイ１１０は、ユーザが手首に本装置を装着した場合に、手の甲側に位置するよう配置された、ユーザによりタッチ操作可能なタッチパネルである。このメインタッチパネルディスプレイ１１０は、ユーザにとって有用な情報を表示するための部分であり、いくつかある機能を選択するための複数のアイコンからなるメニュー画面を表示したり、また、そのうちの一の機能として、ウェアラブル端末１００をリモコンのアイコンがタッチされた場合（選択された場合）には、設定温度や風向き、そのほか冷暖房のいずれかであるかを示す情報を表示する。なお、メインタッチパネルディスプレイ１１０は、タッチセンサー機能は必須ではなく、単なるディスプレイとしてもよい。
【００２８】
タッチパネルディスプレイ１２０は、メインタッチパネルディスプレイ１１０の表示画面を基準にした場合の上方側端部に揺動可能に接続され、ユーザによるタッチ操作を受け付ける部分である。タッチパネルディスプレイ１２０は、ユーザの手首に装着された際、ユーザの視線に入ることのない、メインタッチパネルディスプレイ１１０を挟んだ反対側に位置するものである。よって、その操作性を考慮して、このタッチパネルディスプレイ１２０は、ユーザが視認すことなく操作可能な簡単なタッチ操作のみを受け付ける。例えば、ウェアラブル端末１００がエアコンのリモコンとして機能する場合には、温度の設定を受け付けたり、また、テレビの場合には、音量の受け付けを行う。なお、タッチパネルディスプレイ１２０は、ユーザが直接見ることができないものであることから、操作キーアイコンなどの表示を行わず、単にタッチ操作の受付だけを行うようにすることができる。
【００２９】
ここでタッチパネルディスプレイ１２０のタッチ検出領域について説明する。図３（ａ）は、タッチパネルディスプレイ１２０のタッチ検出領域の概念を示す説明図である。図３（ａ）に示される通り、アイコンＭ１およびアイコンＭ２がリモコン画面として表示されているが、このアイコンＭ１およびアイコンＭ２は、上述した通り、ユーザは直接見ることは困難である。したがって、ユーザはそのアイコンを見ながら操作をすることは困難であることから、タッチ検出領域Ｔ１およびＴ２は、アイコンＭ１およびアイコンＭ２よりも大きい領域とすることがよいと考えられる。
【００３０】
さらに、直接見ることができないことから、アイコンＭ１およびアイコンＭ２の表示も必ずしも必要ではない。よって、アイコン表示をすることなく、単にタッチ検出領域Ｔ１およびＴ２を形成しておき、この領域にタッチ操作が検出されると、その操作に応じた処理をすることができる。このタッチ検出領域Ｔ１およびＴ２は、それぞれが人の指がタッチすることができる程度の大きさであることが好適である。また、ユーザが手探りで操作できるように、操作時における指の向きに沿った方向に二分割されることが好適であり、例えば、各タッチパネルディスプレイの連結方向に対して垂直方向に分割することが好適である。
【００３１】
タッチパネルディスプレイ１３０は、タッチパネルディスプレイ１２０とはメインタッチパネルディスプレイ１１０を挟んだ反対側で揺動可能に接続され、ユーザが視認しながら操作可能な操作画面を表示し、その受付を行う部分である。例えば、エアコンのリモコンとして機能する場合には、タッチパネルディスプレイ１２０の設定対象を選択させるための設定指示画面を表示し、温度の設定、運転切換、風向きなどのいずれを設定可能にする。
【００３２】
タッチパネルディスプレイ１４０は、タッチパネルディスプレイ１２０にさらに揺動可能に連接されるタッチパネルである。このタッチパネルディスプレイ１４０も、ユーザから直接見ることのできない位置に位置することになるものであることから、ユーザが視認することなく操作可能な簡単なタッチ操作のみを受け付ける。なお、タッチパネルディスプレイ１２０と同様に、ユーザが直接見ることができないものであることから、操作キーなどの表示を行わず、単にタッチ操作の受付だけを行うようにしてもよい。
【００３３】
ここで図３（ｂ）を用いて、タッチ検出領域Ｔ３について説明する。図３（ａ）と同様に、このタッチ検出領域Ｔ３は、アイコンＭ３より大きく形成されている。よって、そのタッチ操作を、アイコンＭ３を見ることなく、確実に行うことを可能にする。また、アイコンＭ３は必ずしも、その表示を必要としない。図３（ａ）および図３（ｂ）においては、タッチ検出領域は１つまたは２つに分割されているが、これに限るものではない。指の大きさや、タッチパネルの大きさに応じて、適宜変更可能なものであり、３つやその所定数以下の分割数でのタッチ検出領域でタッチパネル面を分割してもよい。
【００３４】
タッチパネルディスプレイ１５０は、タッチパネルディスプレイ１３０にさらに揺動可能に連接されるタッチパネルである。タッチパネルディスプレイ１３０と同様に、ユーザが視認しながら操作可能な操作画面を表示し、その受付を行う部分である。
【００３５】
上記メインタッチパネルディスプレイ１１０、タッチパネルディスプレイ１２０〜１５０は、ユーザのタッチ操作を受け付けるものであり、メインタッチパネルディスプレイ１１０、各タッチパネルディスプレイ１２０〜１５０において、フリック操作を受け付けると、そのフリックした方向に応じて、各タッチパネルディスプレイ１２０〜１５０における各表示画面がスクロール表示する。例えば、メインタッチパネルディスプレイ１１０において下方向（タッチパネルディスプレイ１３０が接続される方向）にフリック操作がなされことが検出されると、タッチパネルディスプレイ１２０に表示された表示画面が、タッチパネルディスプレイ１３０に表示される。
【００３６】
このように構成されたウェアラブル端末１００をユーザがその手首に装着することにより、ユーザから見ることのできないタッチパネルディスプレイ１２０に対する操作を簡単かつ確実に行うことができる。
【００３７】
つぎに、このウェアラブル端末１００の動作について説明する。図４は、その処理を示すフローチャートである。ウェアラブル端末１００の電源がオンされると（Ｓ１０１）、メインタッチパネルディスプレイ１１０に、メニュー画面が表示される（Ｓ１０２）。ここでは、メニュー画面として、テレビ、エアコンのいずれをリモコン操作対象とするか、その選択するためのアイコンが表示される（Ｓ１０３：図５（ａ）参照）。
【００３８】
ここで、そのいずれかが選択されると、表示データ格納部１０７から選択されたリモコン画面を構成するための表示データが表示制御部１０６により読み出され（Ｓ１０４）、そのリモコン画面がメインタッチパネルディスプレイ１１０、各タッチパネルディスプレイ１２０〜１５０に表示される（Ｓ１０５：図５（ｂ）参照）。
【００３９】
そして、いずれかのリモコン画面が表示され、ユーザからのタップ操作の受け付けが待ち状態となる（Ｓ１０６）。ここで、メインタッチパネルディスプレイ１１０またはタッチパネルディスプレイ１２０〜１５０においてタップ操作が検出され（Ｓ１０６；Ｙｅｓ）、そのタップ操作がロングタップ（所定時間タッチがなされたもの）ではないと判断されると（Ｓ１０７；Ｎｏ）、そのタップ位置がタッチコントロール部１０５により判断される（Ｓ１０８）。そして、その位置に応じた処理が実行される（Ｓ１０９）。例えば、タッチパネルディスプレイ１２０においてタップ操作が検出されると、タッチコントロール部１０５において、その位置が判断され、その位置に応じた処理、例えば、温度一度上げるための信号を無線通信部１０４を介して発信させる。
【００４０】
また、Ｓ１０７において、ロングタップ操作であると判断されると、ロングタップされたことがバイブレータや、そのほかの手段（ディスプレイにおける所定箇所点灯など）によりユーザに通知される（Ｓ１１０）。そして、メインタッチパネルディスプレイ１１０または各タッチパネルディスプレイ１２０〜１５０において、ロングタップした状態からさらに、フリック操作が検出されると（Ｓ１１１；Ｙｅｓ）、タッチコントロール部１０５により、そのスクロール方向（フリック方向）が検出され、各タッチパネルディスプレイ１２０〜１５０において表示されていた表示画面が、スクロール方向に隣接する各タッチパネルディスプレイ１２０〜１５０にスクロール表示される（Ｓ１１３：図５（ｃ）参照）。
【００４１】
Ｓ１１１において、フリックが検出されず、指が離れた場合には、処理がなされることなく、再度タップ操作待ちとなる。
【００４２】
このように、ウェアラブル端末１００において複数のタッチパネルディスプレイを備え、そのタップ位置に応じた処理を行なうことができる。また、ロングタップがなされ、フリックされた場合には、その複数のタッチパネルディスプレイに表示される画面がスクロール表示される。
【００４３】
つぎに、このウェアラブル端末１００の表示画面について説明する。図５は、ウェアラブル端末１００のメインタッチパネルディスプレイ１１０または各タッチパネルディスプレイ１２０〜１５０に表示される表示画面の例示を示す説明図である。
【００４４】
図５（ａ）は、電源オン直後に表示されるメニュー画面を示す説明図である。図５（ａ）に示される通り、メインタッチパネルディスプレイ１１０には、アイコンを含んだメニュー画面が表示されている。ここでは、エアコン用アイコン１１０ａおよびテレビ用アイコン１１０ｂが表示されている。そして、ユーザは、いずれかをタップすることで、リモコン対象装置を選択することができる。
【００４５】
なお、図５（ａ）に示される通り、メインタッチパネルディスプレイ１１０には、ウェアラブル端末１００の電源ボタン１１０ｄが備えられており、このボタンを押下することにより、電源がオンされる。また、上述した通り、メインタッチパネルディスプレイ１１０に表示される表示画面は、ユーザにより上下が認識可能な情報（アイコン）から構成されており、その表示画面上方側のメインタッチパネルディスプレイ１１０の端部にタッチパネルディスプレイ１２０が接続されている。同様に、その下方側のメインタッチパネルディスプレイ１１０の端部にタッチパネルディスプレイ１３０が接続されている。
【００４６】
図５（ａ）の例示では、メインタッチパネルディスプレイ１１０にはメニュー画面が表示されており、他のタッチパネルディスプレイ１２０〜１５０には、何も表示されていないが、他のタッチパネルディスプレイ１２０〜１５０においても何らかのメニュー画面を表示するようにしてもよい。
【００４７】
図５（ｂ）は、エアコン用のリモコン画面を示す説明図である。図に示される通り、メインタッチパネルディスプレイ１１０は、エアコンの現在の設定状態を示しており、アイコン１１０ｅは、エアコン用のリモコン状態であることを示し、アイコン１１０ｆは、運転中であることを示す。アイコン１１０ｇは、暖房・冷房・送風・除湿のいずれであるかを示し、アイコン１１０ｈは、現在の設定温度を示す。アイコン１１０ｉは、タイマーの設定状態およびその時間を示し、すなわち、入るまでの時間または切るまでも時間を示す。
【００４８】
本実施形態においては、アイコン１１０ｈが、タッチパネルディスプレイ１２０によるタッチ操作受付に基づいて切り替わる対象となり、そのタッチ操作に応じて、アイコン１１０ｈで示される数値が上下に変動することになる。
【００４９】
また、タッチパネルディスプレイ１２０は、メインタッチパネルディスプレイ１１０に表示されている設定温度を操作するための上下キーアイコン１２０ａを表示する。ここでは、アイコンで表現しているが、ユーザによりみられることのない側に表示されているため、必ずしもこのような表示は必要ない。
【００５０】
タッチパネルディスプレイ１３０は、タッチパネルディスプレイ１２０における操作対象となる設定情報を選択するための選択画面を表示する。アイコン１３０ａは、設定温度を操作することを指示するためのアイコンであり、アイコン１３０ｂは、運転モードを切り替えるためのアイコンであり、アイコン１３０ｃは、風向きを切り換えるためのアイコンである。
【００５１】
タッチパネルディスプレイ１４０は、リモコン操作対象装置の電源のオンオフを指示するためのアイコン１４０ａを表示する部分である。このタッチパネルディスプレイ１４０も、タッチパネルディスプレイ１２０と同様に、ウェアラブル端末１００を装着した場合には、ユーザから見ることのできない位置にあるため、アイコン１４０ａを必ずしも表示する必要はない。
【００５２】
タッチパネルディスプレイ１５０は、タイマーの入切を示すアイコン１５０ａや、その時間設定のためのアイコン１５０ｂを表示する。
【００５３】
なお、タッチパネルディスプレイ１２０の表示内容（または検出領域）と、タッチパネルディスプレイ１４０の表示内容（または検出領域）とは、これに限るものではなく、入れ替えたものとしてもよい。すなわち、タッチパネルディスプレイ１２０に電源オンオフなどのより簡易な操作を可能にするための表示内容としてもよい。
【００５４】
図５（ｃ）は、スクロール表示指示に基づく画面遷移例を示す。図に示される通り、ユーザによりフリック操作がなされると、そのフリック操作方向に、各タッチパネルディスプレイ１２０〜１５０に表示されている表示画面がスクロール表示される。例えば、ユーザが下方向にフリックした場合には、タッチパネルディスプレイ１２０に表示されていた上下キーアイコン１２０ａは、タッチパネルディスプレイ１３０に表示される。
【００５５】
上述のウェアラブル端末１００は、エアコンなどをリモコン操作するためのリモコン機としての機能を備えたものであるが、これに限定するものではない。
【００５６】
例えば、ウェアラブル端末１００は、携帯電話や、スマートフォンなどの機能を有し、または携帯電話やスマートフォンと連動して、電子メールや、電話の発着信履歴などをメインタッチパネルディスプレイ１１０において閲覧可能にしてもよい。この場合、メインタッチパネルディスプレイ１１０は、電子メールの受信ボックスや、送信ボックスなどのタイトルなどのリスト表示をさせ、タッチパネルディスプレイ１２０において、そのリストを上下に表示するようにすることができる。
【００５７】
また、メインタッチパネルディスプレイ１１０において、電子メールの本文を表示させ、タッチパネルディスプレイ１２０を上下に操作することにより、電子メール本文を上下にスクロールさせてもよい。
【００５８】
つぎに、本実施形態のウェアラブル端末１００の作用効果について説明する。本実施形態のウェアラブル端末１００は、メインタッチパネルディスプレイ１１０に表示される表示画面の上方向側の当該メインタッチパネルディスプレイ１１０の端部にタッチパネルディスプレイ１２０が接続される。そして、タッチコントロール部１０５は、このタッチパネルディスプレイ１２０において、ユーザによる所定数以下のタッチ検出領域、例えば一または二つのタッチ検出領域によるタッチ操作を受け付けたことを判断することができる。
【００５９】
そして、表示制御部１０６は、その受け付けたタッチ操作に基づいた情報をメインタッチパネルディスプレイ１１０に表示することができる。これにより、メインタッチパネルディスプレイ１１０とタッチパネルディスプレイ１２０とを、ユーザの手首に装着可能なブレスレット状に構成した場合において、ユーザは、タッチするだけといった簡単な操作で所望の操作を実行することができ、その操作性を向上させることができる。すなわち、タッチ検出領域は、所定数以下であるため、手探りでの操作が可能である。
【００６０】
また、本実施形態のウェアラブル端末１００によれば、タッチパネルディスプレイ１２０に、あらかじめ定められた数値情報を上下させるための上下キーを表示させる。例えば、エアコンの温度設定のためのアイコンや、テレビのチャンネル操作のためのアイコンを表示させる。そして、タッチコントロール部１０５は、タッチパネルディスプレイ１２０において当該上下キーに基づいた操作を受け付けたことを判断し、それに基づいて処理を行なうことができる。よって、ユーザからその操作位置を見ることなく、簡単に操作を行なうことができる。
【００６１】
また、本実施形態のウェアラブル端末１００によれば、タッチパネルディスプレイ１２０において、メインタッチパネルディスプレイ１１０との接続側とは反対側の端部にさらにタッチパネルディスプレイ１４０が連接される。そして、このタッチパネルディスプレイ１４０においてユーザによりタッチ操作を受け付けることができる。これにより、メインタッチパネルディスプレイ１１０、タッチパネルディスプレイ１２０、およびタッチパネルディスプレイ１４０をユーザの手首に装着可能なブレスレット状に構成した場合における操作性を向上させることができる。
【００６２】
また、本実施形態のウェアラブル端末１００によれば、メインタッチパネルディスプレイ１１０の下側に、すなわちメインタッチパネルディスプレイ１１０の表示画面の下方向側に、タッチパネルディスプレイ１３０が接続される。そして、メインタッチパネルディスプレイ１１０などにおいて、ユーザによりスクロール表示指示がなされると、タッチコントロール部１０５は、その指示を判断する。表示制御部１０６は、タッチパネルディスプレイ１２０の表示画面を、タッチパネルディスプレイ１３０にスクロール表示させることができる。これにより、ユーザから直接見ることができないタッチパネルディスプレイ１２０の表示内容を見ることができ、使い勝手の良い装置を提供することができる。
【００６３】
［第２実施形態］
つぎに、第２実施形態について説明する。第２実施形態のウェアラブル端末１００Ａの外観構成は、図１に示す第１実施形態と同様である。なお、第１実施形態と異なる点は、複数のタッチパネルディスプレイに対して表示される操作対象となる画面（以下「表示画面」という。）の配置及び表示画面が表示される向きが可変である点である。なお、表示画面には、メニュー画面と操作を受付ける１以上の操作画面が含まれる。
【００６４】
図６は、第２実施形態のタッチパネルディスプレイの表示態様の概要を示す図である。具体的には、図６（ａ）、（ｂ）は、ウェアラブル端末が次に説明する第一姿勢及び第二姿勢となった場合の表示態様の概要をそれぞれ示している。第一姿勢とは、ユーザの甲側に装着された腕時計型のウェアラブル端末をユーザが見るときのそのウェアラブル端末の姿勢（すなわち傾き）を示すものであり、より具体的には、ユーザが左の腕を地面に対して平行にし、その状態の腕を手前に引き寄せた時のウェアラブル端末の姿勢を示す。一般的には、腕時計の連接方向は地面に対して垂直に形成される。第二姿勢とは、ユーザの手首内側に装着されたウェアラブル端末をユーザが見る時のそのウェアラブル端末の姿勢を示すものであり、より具体的には、ユーザが左の腕を地面に対して垂直にしつつ、その手首の内側を手前に向けるようにひねった時のウェアラブル端末の姿勢を示す。一般的には、腕時計の連接方向は、地面に対して平行に形成される。なお、ここでは左腕の動きとして説明したが、それぞれの姿勢は、右腕を同じように動かした場合の姿勢であってもよい。続いて、各姿勢の場合の表示態様の詳細について説明する。
【００６５】
まず、ウェアラブル端末１００Ａの姿勢が第一姿勢である場合の表示態様を示す図６(ａ)について説明する。図６（ａ）に示されているように、ユーザの手の甲側のメインタッチパネルディスプレイ１１０Ａに、メニュー画面が表示される。このメニュー画面において、メインタッチパネルディスプレイ１１０Ａに表示される際の表示の向きは、タッチパネルディスプレイが連結されている方向を上下方向とした向きである。その他のタッチパネルディスプレイに表示される表示画面についても同様である。
【００６６】
なお、メインタッチパネルディスプレイ１１０Ａが手の平側（手首の内側）に位置するように、ウェアラブル端末１００Ａが装着される場合には、表示画面の配置を変更せず、表示の向きのみを制御するようにしてもよい。このような場合、手の甲側あるいは手の平側（手首の内側）のいずれに、メインタッチパネルディスプレイ１１０Ａが位置するように、ウェアラブル端末１００Ａが装着されるかを、ユーザが予め設定する。
【００６７】
次に、ウェアラブル端末１００Ａの姿勢が第二姿勢である場合の表示態様を示す図６(ｂ)について説明する。図６（ｂ）に示されているように、ユーザの手の平側のバックル部分に近いタッチパネルディスプレイ１５０Ａに、メニュー画面が表示される。また、各タッチパネルディスプレイの表示の向きは、タッチパネルディスプレイが連結されている方向に対して垂直方向を上下方向としている。第二姿勢の場合には、ユーザにとっての上下の方向が、連結されている方向に対して垂直の向きとなるためである。
【００６８】
ウェアラブル端末１００Ａは、第１実施形態と同様に、一つのメインタッチパネルディスプレイ１１０Ａと、複数のタッチパネルディスプレイ１２０Ａ〜１５０Ａとから構成されている。また、各タッチパネルディスプレイに表示される画面は、表示画面（メニュー画面及びリモコン画面）である。以下、第１実施形態と異なる部分について説明する。
【００６９】
図７は、第２実施形態に係るウェアラブル端末１００Ａの機能構成を示すブロック図である。図７に示すように、ウェアラブル端末１００Ａは、機能的には、ＣＰＵ１０１Ａ、ＲＡＭ１０２Ａ、ＲＯＭ１０３Ａ、無線通信部１０４Ａ、タッチコントロール部１０５Ａ、表示制御部１０６Ａ（制御手段）、表示データ格納部１０７Ａ、姿勢検出部１０８Ａ（姿勢判断手段）、姿勢判断部１０９Ａ（姿勢判断手段）、メインタッチパネルディスプレイ１１０Ａ、表示制御テーブル１１１Ａ、タッチパネルディスプレイ１２０Ａ〜１５０Ａ（上側タッチパネル、第２の上側タッチパネル、下側タッチパネル、第２の下側タッチパネル）を備えている。ＣＰＵ１０１Ａ、ＲＡＭ１０２Ａ、ＲＯＭ１０３Ａ、無線通信部１０４Ａ、及びタッチコントロール部１０５Ａは、第１実施形態の機能と同等であり、その説明を省略する。
【００７０】
表示制御部１０６Ａは、メインタッチパネルディスプレイ１１０Ａ、及び各タッチパネルディスプレイ１２０Ａ〜１５０Ａに対する、表示画面の表示制御を行う部分である。具体的には、第１実施形態の制御に代えて、後述する姿勢判断部１０９Ａにより判断された姿勢、並びに後述する表示データ格納部１０７Ａ及び表示制御テーブル１１１Ａを参照し制御を行う。この制御では、表示制御部１０６Ａは、メインタッチパネルディスプレイ１１０Ａ、及びタッチパネルディスプレイ１２０Ａ〜１５０Ａのうち、各タッチパネルディスプレイに対応付けられる表示画面の配置を決定する。また、表示制御部１０６Ａは、各画面を表示する向きを決定する。つまり、各表示画面が表示されるタッチパネルディスプレイ、及び画面を表示する向きは、姿勢判断部１０９Ａにより判断された姿勢と表示制御テーブル１１１Ａに記憶されている内容とに従って、決定される。また、表示画面に表示される内容は、後述する表示データ格納部１０７Ａに記憶されている内容に従って、決定される。
【００７１】
表示データ格納部１０７Ａは、リモコンの操作対象装置ごとに、表示画面に表示するデータ（内容）を、画面を識別する画面識別子に対応付けて記憶する部分である。本実施形態では、各タッチパネルディスプレイに対応付けられる各表示画面の配置が予め決められていない。よって、表示制御部１０６Ａが各タッチパネルディスプレイに対応付けられる各画面を識別する画面識別子を決定した後、これらの各画面を識別する画面識別子に対応付けられているデータが表示データ格納部１０７Ａから抽出される。画面を識別する画面識別子とは、例えばメニュー画面、及び操作１〜操作４等といった識別子である。なお、タッチパネルディスプレイと、タッチパネルディスプレイに表示されるデータ（内容）とは、画面を識別する画面識別子を介して、対応付けられる。
【００７２】
図８（ａ）は、表示データ格納部１０７Ａの一例を示す図である。図８（ａ）に示すように、操作対象となる装置である操作対象装置それぞれに対して、各画面識別子に対応付けられる各タッチパネルディスプレイに表示される（割り当てられる）データ（内容）が記憶されている。例えば、後述する図９に示す例では、操作対象装置はエアコンである。そこで、操作対象装置をエアコンとしてメニュー及び操作１〜４に対応付けられるデータが、表示制御部１０６Ａにより抽出される。また、これらの画面識別子とメインタッチパネルディスプレイ１１０Ａ及び各タッチパネルディスプレイ１２０Ａ〜１５０Ａとの対応関係は、表示制御部１０６Ａが後述する表示制御テーブル１１１Ａを参照することにより決定される。
【００７３】
姿勢検出部１０８Ａは、ウェアラブル端末１００Ａの予め定められたいずれかのタッチパネルディスプレイの姿勢（以下、「判定用姿勢」という。）を検出する部分である。姿勢検出部１０８Ａは、例えば、ウェアラブル端末１００Ａが備えるジャイロセンサを用いて、判定用姿勢を検出する。姿勢検出部１０８Ａは検出した判定用姿勢を、姿勢判断部１０９Ａに通知する。なお、判定用姿勢とは、例えばウェアラブル端末１００Ａの予め定められたいずれかのタッチパネルの角度である。
【００７４】
姿勢検出部１０８Ａが、判定用姿勢を検出するタイミングは、例えば１秒、１分毎のように定期的であってもよいし、定期的でなく、ウェアラブル端末１００Ａに対し何らかのユーザによるアクションがなされたタイミングであってもよい。また、タッチパネルディスプレイの姿勢を検出する方法は、ジャイロセンサを用いた方法に限られない。タッチパネルディスプレイの姿勢を検出できればよい。
【００７５】
姿勢判断部１０９Ａは、姿勢検出部１０８Ａが検出した判定用姿勢に基づいて、予め定められた姿勢（第一姿勢、第二姿勢）に該当しているか否かを判断する部分である。姿勢判断部１０９Ａは、判断結果である姿勢を表示制御部１０６Ａに通知する。なお、本実施形態では、第一姿勢及び第二姿勢の２つの姿勢を判断しているが、判断する姿勢は、２つに限られない。
【００７６】
表示制御テーブル１１１Ａは、予め定められた姿勢、各タッチパネルディスプレイに対応付けられる画面を識別する画面識別子、及び画面を表示する向きを対応付けて記憶している。図８（ｂ）は、表示制御テーブル１１１Ａの一例を示す図である。図８（ｂ）に示すように、表示制御テーブル１１１Ａは、予め定められた姿勢（第一姿勢、第二姿勢）、各タッチパネルディスプレイの識別番号に対応付けられる画面を識別する画面識別子（メニュー、操作１〜４）、及び画面を表示する向きを対応付けて記憶している。
【００７７】
各タッチパネルディスプレイの識別番号と各タッチパネルディスプレイとの関係は次の通りである。メインタッチパネルディスプレイ１１０Ａ及びタッチパネルディスプレイ１２０Ａ〜１５０Ａは、それぞれパネル１〜５に割り当てられている。また、図８（ｂ）中のメニューはメニュー画面を示している。また、図８（ｂ）中のメニューはメニュー画面、操作１及び操作３はユーザが視認することなく操作可能なリモコン画面、操作２及び操作４はユーザが視認しながら操作可能なリモコン画面を示している。
【００７８】
操作１〜操作４に対応する画面の内容は、操作対象装置がエアコンである図９の例では、次の通りである。ユーザが視認することなく操作可能なリモコン画面である操作１及び操作３には、温度の上下を操作する温度操作画面及び電源のオン／オフを操作する電源操作画面がそれぞれ対応付けられる。ユーザが視認しながら操作可能なリモコン画面である操作２及び操作４には、運転のモード（冷暖房）や風向き等を切り替える設定切換画面及びタイマーの設定等を行うタイマー画面がそれぞれ対応付けられる。なお、これらの対応付けは、表示制御部１０６Ａが表示データ格納部１０７Ａと表示制御テーブル１１１Ａとをあわせて参照することにより決定される。
【００７９】
以下、図８（ｂ）と図９（ａ）を参照し、姿勢判断部１０９Ａが判定用姿勢を「第一姿勢」であると判断した場合の具体例を説明する。まず、表示制御部１０６Ａが姿勢判断部１０９Ａから第一姿勢という判断結果の通知を受けた場合、表示制御部１０６Ａは図８（ｂ）に示される表示制御テーブル１１１Ａを参照する。そして、表示制御部１０６Ａは「第一姿勢」に対応する各タッチパネルディスプレイの識別番号に対応付けられる画面を識別する画面識別子、及び画面を表示する向きを抽出する。
【００８０】
図９（ａ）は、姿勢判断部１０９Ａが判定用姿勢を「第一姿勢」であると判断した場合のウェアラブル端末１００Ａの表示態様の概要図である。本実施形態では、操作対象装置がエアコンである場合の例を示している。なお、各画面の表示内容は、上述したように表示データ格納部１０７Ａに記憶されている。
【００８１】
図９（a）に示されるように、ウェアラブル端末１００Ａを手首にはめた場合に、手の甲側に位置するメインタッチパネルディスプレイ１１０Ａに、メニュー画面が表示されている。ユーザの視線に入ることのないタッチパネルディスプレイ１２０Ａ、及びタッチパネルディスプレイ１４０Ａには、ユーザが視認することなく操作可能なリモコン画面である温度操作画面（操作１）及び電源操作画面（操作３）がそれぞれ表示されている。また、ユーザの視線に入るタッチパネルディスプレイ１３０Ａ、及びタッチパネルディスプレイ１５０Ａには、ユーザが視認しながら操作可能なリモコン画面である設定切換画面（操作２）及びタイマー画面（操作４）がそれぞれ表示されている。
【００８２】
また、姿勢判断部１０９Ａが検出した判定用姿勢が「第一姿勢」である場合には、各タッチパネルディスプレイに表示される表示の向きはタッチパネルディスプレイが連結する方向を上下方向とする。これは、ウェアラブル端末１００Ａが第一姿勢となる場合には、各タッチパネルディスプレイが連結する方向が、ユーザにとっての上下方向と一致する方向であるためである。
【００８３】
次に、図８（ｂ）と図９（ｂ）を参照し、姿勢判断部１０９Ａが判定用姿勢を「第二姿勢」であると判断した場合の具体例を説明する。まず、表示制御部１０６Ａが姿勢判断部１０９Ａから第二姿勢という判断結果の通知を受けた場合、表示制御部１０６Ａは図８（ｂ）に示される表示制御テーブル１１１Ａを参照する。そして、表示制御部１０６Ａは「第二姿勢」に対応する各画面を表示するタッチパネルディスプレイの識別番号に対応付けられる画面を識別する画面識別子、及び画面を表示する向きを抽出する。
【００８４】
図９（ｂ）は、姿勢判断部１０９Ａが判定用姿勢を「第二姿勢」であると判断した場合のウェアラブル端末１００Ａの表示の概要図である。なお、各画面の表示内容は、上述したように表示データ格納部１０７Ａに記憶されている。図９に示されるように、ウェアラブル端末１００Ａを手首にはめた場合に、手の平側に位置するタッチパネルディスプレイ１５０Ａに、メニュー画面が表示される。本実施形態では、メニュー画面をタッチパネルディスプレイ１５０Ａに表示されることとして説明しているが、タッチパネルディスプレイ１４０Ａにメニュー画面が表示されるようにしてもよい。
【００８５】
ユーザが視認することなく簡単に操作可能なリモコン画面である温度操作画面（操作１）及び電源操作画面（操作３）は、メインタッチパネルディスプレイ１１０Ａ及びタッチパネルディスプレイ１２０Ａにそれぞれ表示される。タッチパネルディスプレイ１５０Ａにユーザが視線を向ける場合、メインタッチパネルディスプレイ１１０Ａ及びタッチパネルディスプレイ１２０Ａは、ユーザの視線に対して、ちょうど反対側に位置するユーザの視線に入ることのないタッチパネルディスプレイである。よって、これらのタッチパネルディスプレイに、ユーザが視認することなく操作可能な簡単なタッチ操作のみを受け付けるリモコン画面を表示するようにしてもよい。
【００８６】
ユーザが視認しながら操作可能なリモコン画面である設定切換画面（操作２）及びタイマー画面（操作４）は、タッチパネルディスプレイ１３０Ａ及びタッチパネルディスプレイ１４０Ａにそれぞれ表示される。タッチパネルディスプレイ１５０Ａにユーザが視線を向ける場合、タッチパネルディスプレイ１３０Ａ及びタッチパネルディスプレイ１４０Ａは、ユーザが容易に視認できる部分に位置するタッチパネルディスプレイである。よって、これらのタッチパネルディスプレイに、ユーザが視認しながら操作するリモコン画面を表示するようにしてもよい。
【００８７】
また、姿勢判断部１０９Ａが判定用姿勢を「第二姿勢」であると判断した場合には、各タッチパネルディスプレイの表示の向きは、タッチパネルディスプレイが連結する方向に対して垂直方向を上下方向とする。このような向きとすることで、手の平側にユーザが視線を向けた場合に、表示の向きとユーザにとっての上下方向とを一致させることができる。なお、上述では、全てのタッチパネルディスプレイに画面を表示することとしているが、必ずしも全てのタッチパネルディスプレイに画面を表示する必要はない。
【００８８】
つぎに、このウェアラブル端末１００Ａの動作について説明する。図１０は、本実施形態のウェアラブル端末１００Ａの処理を示すフローチャートである。ウェアラブル端末１００Ａの電源がオンされると（Ｓ２０１）、姿勢検出部１０８Ａは、ウェアラブル端末１００Ａの予め定められたいずれかのタッチパネルディスプレイの姿勢である判定用姿勢を検出する（Ｓ２０２）。姿勢判断部１０９Ａは、判定用姿勢に基づいて、予め定められた姿勢（第一姿勢、第二姿勢）に該当しているか否かを判断する（Ｓ２０３）。
【００８９】
表示制御部１０６Ａは、姿勢判断部１０９Ａにより判断された姿勢をキーとして表示制御テーブル１１１Ａを参照し、各タッチパネルディスプレイに対応付けられる表示画面、及び画面を表示する向きを決定する（Ｓ２０４）。続いて、表示制御部１０６Ａは、ステップ２０４でメニュー画面を表示するタッチパネルディスプレイと決定したタッチパネルディスプレイにメニュー画面を表示する（Ｓ２０５）。ここでは、メニュー画面として、テレビ、エアコンのいずれをリモコン操作対象とするか、その選択するためのアイコンが表示される。そして、そのいずれかが選択されると、表示データ格納部１０７Ａから、各表示画面に対応付けられた選択されたリモコン画面を構成するための表示データが表示制御部１０６Ａにより読み出され、メインタッチパネルディスプレイ１１０Ａ、及び各タッチパネルディスプレイ１２０Ａ〜１５０Ａに表示される（Ｓ２０６）。なお、図１０の処理は電源がオンにされることにより処理を開始しているが、各タッチパネルディスプレイが表示されている状態で、姿勢検出部１０８Ａが判定用姿勢の変更（所定の動作行為）を検出し、Ｓ２０３〜Ｓ２０６の処理を行うようにしてもよい。
【００９０】
つぎに、本実施形態のウェアラブル端末１００Ａの作用効果について説明する。本実施形態のウェアラブル端末１００Ａによれば、本実施形態のウェアラブル端末１００Ａの姿勢検出部１０８Ａは、予め定められたタッチパネルディスプレイの姿勢である判定用姿勢を検出する。姿勢判断部１０９Ａは、判定用姿勢に基づいて、第一姿勢と第二姿勢のいずれの姿勢であるかを判断する。そして、姿勢判断部１０９Ａが判断した姿勢に応じて、表示制御部１０６Ａは、表示画面の表示される向きを制御する。よって、ユーザの視線が手の甲側、あるいは手の平側のいずれに向いているかに応じて表示画面が表示される向きが制御され、ユーザにとっての操作性を向上させることができる。
【００９１】
また、本実施形態のウェアラブル端末１００Ａの表示制御部１０６Ａは、姿勢判断部１０９Ａの判断結果に基づいて、各タッチパネルディスプレイに対応付けられる表示画面の配置を決定し、各タッチパネルディスプレイに表示画面を表示することができる。よって、ユーザの視線が手の甲側、あるいは手の平側のいずれに向いているかに応じて表示画面が表示される配置が決定されるので、操作性及び表示の柔軟性を向上させることができる。
【符号の説明】
【００９２】
１００、１００Ａ…ウェアラブル端末、１０１、１０１Ａ…ＣＰＵ、１０２、１０２Ａ…ＲＡＭ、１０３、１０３Ａ…ＲＯＭ、１０４、１０４Ａ…無線通信部、１０５、１０５Ａ…タッチコントロール部、１０６、１０６Ａ…表示制御部、１０７、１０７Ａ…表示データ格納部、１０８Ａ…姿勢検出部、１０９Ａ…姿勢判断部、１１０、１１０Ａ…メインタッチパネルディスプレイ、１１１Ａ…表示制御テーブル、１６０…アジャスト部、１７０…アジャスト部。
【図１】
2015194998.tif 000003
【図２】
2015194998.tif 000004
【図３】
2015194998.tif 000005
【図４】
2015194998.tif 000006
【図７】
2015194998.tif 000007
【図８】
2015194998.tif 000008
【図１０】
2015194998.tif 000009
【図５】
2015194998.tif 000010
【図６】
2015194998.tif 000011
【図９】
2015194998.tif 000012